(57)【要約】      （修正有）【課題】緊急時でも、確実にピットカバーを移動できるようにすると共に、移動リフトを正確に移動できるようにした自動車用リフト装置を提供する。【解決手段】自動車用リフト装置は、床面に形成した前後方向に延びるピット内に設けた前後方向に移動自在な移動リフト３と、前記ピットの開口部を塞ぐ移動自在なピットカバー４ａ、４ｂと、前記移動リフト３を移動させるリフト移動用モータ１０と、前記ピットカバー４ａ、４ｂを移動させるピットカバー移動用モータ１５と、前記リフト移動モータ１０と前記ピットカバー移動モータ１５とをそれぞれ制御する移動制御手段とよりなり、前記移動制御装置は、前記移動リフト３が前記ピットカバー４ａ、４ｂに接触しないように、前記リフト移動用モータ１０を駆動して前記移動リフト３を移動させると共に、前記ピットカバー移動用モータ１５を駆動して前記ピットカバー４ａ、４ｂを移動させることを特徴とする。【選択図】図２
2016078659.tif 000002
【特許請求の範囲】
【請求項１】
床面に形成した前後方向に延びるピット内に設けた、該ピット内に沿って前後方向に移動自在な移動リフトと、
前記ピットの開口部を塞ぐ、該開口部に沿って前後方向に移動自在なピットカバーと、
前記ピットの前後にそれぞれ設けた、前記ピットカバーの端部を収納するピットカバー収納室と、
前記移動リフトを移動させるリフト移動用モータと、
前記ピットカバーを移動させるピットカバー移動用モータと、
前記リフト移動モータと前記ピットカバー移動モータとの移動をそれぞれ制御する移動制御装置とよりなり、
前記ピットカバーは、前記移動リフトよりも前側の前記ピットの開口部を塞ぐ前側ピットカバーと、前記移動リフトよりも後側の前記ピットの開口部を塞ぐ後側ピットカバーと、前記前側ピットカバーと前記後側ピットカバーとを連結する連結具とよりなり、
前記前側ピットカバー及び前記後側ピットカバーはそれぞれ、複数の蓋単体が連結されて、前後方向に延びる帯状に形成されると共に、前記各ピットカバーの移動に伴い、該ピットカバーの各端部の蓋単体が折り畳まれて前記ピットカバー収納室に収納され、
前記移動制御装置は、前記移動リフトが前記ピットカバーに接触しないように、前記リフト移動用モータを駆動して前記移動リフトを移動させると共に、前記ピットカバー移動用モータを駆動して前記ピットカバーを移動させることを特徴とする自動車用リフト装置。
【発明の詳細な説明】
【技術分野】
【０００１】
本発明は自動車の点検整備時などに使用する自動車用リフト装置に関する。
【背景技術】
【０００２】
床面に形成した前後方向に延びるピット内に、その一端部に一方の固定リフトを設けると共に、該ピット内に沿って前後方向に移動自在な他方の移動リフトを設けた自動車用リフト装置において、該移動リフトと共に移動しながら前記ピットの上面開口部を塞ぐピットカバーを設けて、前記開口部から人や自動車が転落するのを防止するようにした自動車用リフト装置が知られている。
【０００３】
図７は、前記従来の自動車用リフト装置を示し、ａは、自動車整備工場等の床面に形成された、前後方向に延びるピット、ｂは、前記ピットａの前端部に固定された固定リフト、ｃは、前記ピットａ内に沿って前後方向に移動可能な移動リフト、ｄ、ｅは、前記移動リフトｃの前後にそれぞれ接続されて、前記ピットａの上面開口部を塞ぐ前後のピットカバーである。
【０００４】
また、前記前後のピットカバーｄ、ｅは、それぞれ横長の直方体状の蓋単体ｆが連結されて帯状に形成され、また、前記前後のピットカバーｄ、ｅの端部は、それぞれ前記ピットａ内の前端部及び後端部に形成されたピットカバー収納室ｇ、ｈ内に収納されるように形成されている。
【０００５】
前記従来の自動車用リフト装置は、移動リフト用モータｉにより、前記移動リフトｃを移動させ、例えば、図７において、該移動リフトｃを右方向（後方）に移動させた場合には、該移動リフトｃの移動に伴って、該移動リフトｃに接続された前記前側ピットカバーｄが、引っ張られて後方に移動すると共に、前記収納室ｇ内に収納されていた蓋単体ｆが、順次繰り出されて、前記移動リフトｃの前側の前記ピットａの上面開口部が塞がれるようになり、また、前記移動リフトｃに接続された前記後側ピットカバーｅが、前記移動リフトｃに押圧されて後方に移動すると共に、該後側ピットカバーｅの後端部の蓋単体ｆが順次、前記収納室ｈ内に収納されて、前記移動リフトの後側の前記ピットａの上面開口部が塞がれるようになる。
【０００６】
このような従来の自動車用リフト装置としては、例えば、特許文献１がある。
【先行技術文献】
【特許文献】
【０００７】
【特許文献１】特開２００５−１３８６９８号公報
【発明の概要】
【発明が解決しようとする課題】
【０００８】
しかしながら、前記従来の自動車用リフト装置においては、移動リフトによりリフトアップした車両を降下できなくなり、点検口が自動車によって遮られてしまったにもかかわらず、ピット内を点検しなければならない緊急事態の場合に、前記前後のピットカバーｄ、ｅは、移動リフトｃの移動に伴い移動するものであるから、該移動リフトｃを移動させることができないので、ピットカバーも移動させることができず、ピット内の点検が困難になるという問題があった。
【０００９】
また、移動リフトｃを移動する場合、ピットカバーｄ、ｅを押圧しながら移動させていくため、ピット開口縁部上を摺動して移動する該ピットカバーｄ、ｅは、その摺動摩擦力により、シャクリ現象、即ち、前記移動リフトｃと前記ピットカバーｄ、ｅとが停止と移動を繰り返す現象が起きて、前記移動リフトｃのスムーズな移動が出来ないと共に、シャクリ現象により、該移動リフトｃを正確な位置に移動するのが難しくなるという問題点があった。
【００１０】
本発明は、前記の問題点を解決した自動車用リフト装置を提供することを目的とする。
【課題を解決するための手段】
【００１１】
本発明は前記の問題点を解決すべく、本発明の自動車用リフト装置は、床面に形成した前後方向に延びるピット内に設けた、該ピット内に沿って前後方向に移動自在な移動リフトと、前記ピットの開口部を塞ぐ、該開口部に沿って前後方向に移動自在なピットカバーと、前記ピットの前後にそれぞれ設けた、前記ピットカバーの端部を収納するピットカバー収納室と、前記移動リフトを移動させるリフト移動用モータと、前記ピットカバーを移動させるピットカバー移動用モータと、前記リフト移動モータと前記ピットカバー移動モータとの移動をそれぞれ制御する移動制御装置とよりなり、前記ピットカバーは、前記移動リフトよりも前側の前記ピットの開口部を塞ぐ前側ピットカバーと、前記移動リフトよりも後側の前記ピットの開口部を塞ぐ後側ピットカバーと、前記前側ピットカバーと前記後側ピットカバーとを連結する連結具とよりなり、前記前側ピットカバー及び前記後側ピットカバーはそれぞれ、複数の蓋単体が連結されて、前後方向に延びる帯状に形成されると共に、前記各ピットカバーの移動に伴い、該ピットカバーの各端部の蓋単体が折り畳まれて前記ピットカバー収納室に収納され、前記移動制御装置は、前記移動リフトが前記ピットカバーに接触しないように、前記リフト移動用モータを駆動して前記移動リフトを移動させると共に、前記ピットカバー移動用モータを駆動して前記ピットカバーを移動させることを特徴とする。
【発明の効果】
【００１２】
本発明の自動車用リフト装置によれば、前記ピットカバー移動用モータのみを駆動させることにより、前記後側ピットカバーのみを移動させて、前記ピットの上面を開口させることができるようになる。
【００１３】
また、前記移動リフトをピットカバーのシャクリ現象の影響を受けずに、スムーズに移動可能とすると共に、該移動リフトを正確な位置に移動しやすくなる。
【図面の簡単な説明】
【００１４】
【図１】本発明の自動車用リフト装置の説明用縦断正面図である。
【図２】本発明の自動車用リフト装置の要部の拡大縦断正面図である。
【図３】本発明の自動車用リフト装置の要部の拡大平面図である。
【図４】本発明の自動車用リフト装置の要部の左側拡大縦断側面図である。
【図５】本発明の自動車用リフト装置の要部の右側拡大縦断側面図である。
【図６】本発明の自動車用リフト装置の収納室の拡大縦断正面図である。
【図７】従来の自動車用リフト装置の説明用縦断正面図である。
【発明を実施するための形態】
【００１５】
以下、図面によって本発明の実施例を説明する。
【実施例１】
【００１６】
図１〜図６は、本発明の自動車用リフト装置を示し、１は、床面に形成した、前後方向（一端及び他端方向）に延びるピット、２は、該ピット１内の前端部に固定された固定リフト、３は、前記ピット１内に沿って前後方向に移動自在な移動リフト、４は、前記ピット１の上面開口部を塞ぐ、該上面開口部に沿って前後方向に移動自在なピットカバー、５は、前記ピット１の前端部に設けた、前記ピットカバー５の前端部を収納する前側ピットカバー収納室、６は、前記ピット１の後端部に設けた、前記ピットカバー５の後端部を収納する後側ピットカバー収納室を示す。
【００１７】
前記固定リフト２は、油圧シリンダー部２ａと、該油圧シリンダー部２ａの上端面から上方に突出自在に設けた、例えば、自動車の前側のリフトポイントを載置して上昇させるリフトポイント受具２ｂと、前記油圧シリンダー２ａを駆動し、前記リフトポイント受具２ｂの上下動を制御する油圧駆動ユニット２ｃとよりなる。
【００１８】
前記移動リフト３は、油圧シリンダー部３ａと、該油圧シリンダー部３ａの上端面から上方に突出自在に設けた、例えば、自動車の後側のリフトポイントを載置して上昇させるリフトポイント受具３ｂと、前記油圧シリンダー３ａを駆動し、前記リフトポイント受具３ｂの上下動を制御する油圧駆動ユニット３ｃと、後述する前記移動リフト３を前後方向に移動させるリフト移動用モータ１０と、該リフト移動用モータ１０の移動を制御する移動制御装置（図示せず）とよりなる。
【００１９】
また、図２に示すように、前記移動リフト３の油圧シリンダー部３ａの上部には、箱状の筐体７が固定され、該筐体７の前後に一対の車輪８ａ、８ｂが軸支されている。そして、前記ピット１内の対向する両側壁１ａ、１ａの上方部には、それぞれ前後方向に沿って溝状の移動リフト用レール９、９が横架され、前記車輪８ａ、８ｂが、前記移動リフト用レール９、９に係合されることにより、前記移動リフト３が前記レール９、９に沿って移動自在に吊架されている。
【００２０】
なお、２２は、前記移動リフト３の給電用ケーブルである。
【００２１】
また、図２及び図４に示すように、前記移動リフト３の筐体７には、リフト移動用モータ１０が固定され、該リフト移動用モータ１０の回転軸に、トルクリミッター及びギア機構部を介してスプロケット１１が固定されている。そして、該スプロケット１１に、前記ピット１の前後に渡って張架されたローラチェーン１２が巻き掛けられ、前記リフト移動用モータ１０が正逆回転することにより、前記移動リフト３が前記ピット１内にそって前後方向に移動するようになる。
【００２２】
なお、１３は、前記筐体７に固定された補助スプロケットを示し、該補助スプロケット１３と前記スプロケット１１とにより、前記スプロケット１１に確実にローラチェーン１２が巻き掛けられるようになる。
【００２３】
前記ピットカバー４は、図１〜図３に示すように、前記移動リフト３よりも前側のピット１の上面開口部を塞ぐ前側ピットカバー４ａと、前記移動リフト３よりも後側のピット１の上面開口部を塞ぐ後側ピットカバー４ｂと、前記前側ピットカバー４ａの後端部と前記後側ピットカバー４ｂの前端部とを連結する環状の連結具１４と、前記ピットカバー４を、上面開口部に沿って前後方向に移動させる、後述するピットカバー移動用モータ１５とよりなり、また、該ピットカバー４は、前記移動制御装置により前記該ピットカバー移動用モータ１５が制御されて、移動されるようになる。
【００２４】
また、前記環状の連結具１４は、図２及び図３に示すように、穴部２１が設けられた枠部１４ａと、該枠部１４ａの後端部に、着脱自在に固定されたモータ取付枠１４ｂとよりなり、前記連結具枠部１４ａの穴部２１は、前記移動リフト３が挿入されると共に、該穴部２１の前縁部２１ａと後縁部２１ｂとがそれぞれ前記移動リフト３から所望の距離離間する大きさに形成されている。
【００２５】
また、前記ピットカバー４の連結具１４のモータ固定枠１４ａには、図２及び図５に示すように、ピットカバー移動用モータ１５が固定され、該ピットカバー移動用モータ１５の回転軸に、トルクリミッター及びギア機構部を介してスプロケット１６が固定されている。そして、該スプロケット１６に、前記ピット１の前後に渡って張架された前記ローラチェーン１２が巻き掛けられ、前記ピットカバー移動用モータ１５が正逆回転することにより、前記ピットカバー４が前記ピット１の上面開口部に沿って前後方向に移動するようになる。
【００２６】
なお、１７は、前記連結具１４に固定された補助スプロケットを示し、該補助スプロケット１７と前記スプロケット１６とにより、前記スプロケット１６に確実にローラチェーン１２が巻き掛けられるようになる。
【００２７】
また、前記前側ピットカバー４ａ及び後側ピットカバー４ｂはそれぞれ、図６に示すように、複数の横長の直方体状の蓋単体１８が蝶番１９により連結して、前後方向に延びる帯状に形成されていると共に、前記ピットカバー４の移動に伴い、該ピットカバー４の各端部の隣接する蓋単体１８が、交互に山状及び谷状となって折り畳まれて前記各ピットカバー収納室５、６にそれぞれ収納可能となるように形成されている。
【００２８】
なお、前記隣接する蓋単体１８を連結する蝶番１９は、前記蓋単体１８が前記収納室５、６内で収納される時に、各隣接する蓋単体１８が交互に山状及び谷状に折り畳まれやすくするように、山状となる隣接する蓋単体１８には、例えば、該蓋単体の上側に固定する山状形成用の蝶番１９ａを用い、また、谷状となる隣接する蓋単体１８には、例えば、該蓋単体１８の下側に固定する谷状形成用の蝶番１９ｂを用いるようにしてもよい。
【００２９】
また、前記ピット１内の対向する両側壁１ａ、１ａの上部開口縁部には、それぞれ前後方向に沿ってピットカバー用レール２０、２０が横架され、前記ピットカバー４の左右両側の下面が、該ピットカバー用レール２０、２０の上面に係合し、前記ピットカバー４が、前記ピットカバー用レール２０、２０上を摺動しながら移動可能となる。
【００３０】
また、前記ピットカバー用レール２０、２０は、前記移動リフト用レール９、９の上方に配置されており、また、前記ピットカバー用レール２０、２０の前端部及び後端部は、それぞれ前記ピット１内の前記ピットカバー収納室５、６にまで延長され、これらピット収納室５、６内にピットカバー用レール２０、２０の端部が来るように配置されている。
【００３１】
また、前記リフト移動用モータ１０及び前記ピットカバー移動用モータ１５を制御する移動制御装置は、前記移動リフト３が前記ピットカバー４の連結具１４に接触しないように、前記リフト移動用モータ１０を駆動して前記移動リフト３を移動させると共に、前記ピットカバー移動用モータ１５を駆動して前記ピットカバー４を移動するように制御される。
【００３２】
前記前側ピットカバー収納室５は、前記ピット１内の前記固定リフト２の後方側に設けられ、該前側ピットカバー収納室５には、前記ピット１の上面開口部を覆うカバー部５ａと、前記ピットカバー収納室５内の両側壁の上部に、それぞれ前後方向に沿って溝状に形成された収納レール５ｂとが設けられている。
【００３３】
そして、前記ピットカバー収納室５に収納されると共に、前記ピットカバー用レール２０との係合が解除された蓋単体１８を、該蓋単体１８の前記山状形成用の蝶番１９ａの左右外側面にそれぞれ外方に突出したピン（図示せず）を、前記収納レール５ｂに係合させることにより、吊り下げて、順次収納された前記蓋単体１８をそれぞれ、山状及び谷状に折り畳んで、収納されるようにする。
【００３４】
前記後側ピットカバー収納室６も、前記前側ピットカバー収納室５と同様に、前記ピット１の上面開口部を覆うカバー部６ａと、前記ピットカバー収納室５内の両側壁の上部に、それぞれ前後方向に沿って溝状に形成された収納レール６ｂとが設けられ、順次収納された前記蓋単体１８をそれぞれ、山状及び谷状に折り畳んで、収納されるようにする。
【００３５】
次に、本発明の第１の実施例のリフト装置の使用方法及び効果を説明する。
【００３６】
まず、前記ピット１内の前記移動リフト３が前記固定リフト１寄りにあるときは、図１に示すように、前記前側ピットカバー４ａの前端部の蓋単体１８は、前記前側ピットカバー収納室５内に、前記収納レール５ｂに多重に折り畳んで吊下げられて、収納されている。
【００３７】
次いで、前記固定リフト２と前記移動リフト３間の長さを、試験される車両の前側のリフトポイントと後側のリフトポイント間の長さに合わせるために、前記移動制御装置により、前記リフト移動用モータ１０を駆動して、前記移動リフト３を後方に移動させると共に、前記移動リフト３が前記連結具１４に接触しないように、前記ピットカバー移動用モータ１５を駆動して前記ピットカバー４を移動させる。
【００３８】
これにより、前記前側ピットカバー収納室５内に収納された、前記前側ピットカバー４ａの端部の蓋単体１８は、順次後方に繰り出されると共に、前記後側ピットカバー４ｂの端部の蓋単体１８は、順次、前記後側ピットカバー収納室６に順次折り畳まれて収納され、前記ピット１の上端開口部が前記ピットカバー４により塞がれるようになる。
【００３９】
以上により、前記移動リフト３は前記ピットカバー４の移動の影響を受けることなく移動させることができるので、該移動リフト３をシャクリ現象の影響を受けずに、スムーズに移動可能となり、また、前記移動リフト３を正確な位置に移動しやすくなる。
【００４０】
また、移動リフトによりリフトアップした車両を降下できなくなった場合において、ピット内を点検しなければならない緊急時には、前記連結具１４の枠部１４ａから、前記モータ取付枠１４ｂを分離し、これにより、前記後側ピットカバー４ｂのみを移動できるようになるから、前記制御装置により前記ピットカバー移動用モータ１５を駆動して、前記後側ピットカバー４ｂのみを後方に移動させれば、前記移動リフト３と前記後側ピットカバー４ａの前端部との間に、十分な開口部を形成することができるようになる。
【産業上の利用可能性】
【００４１】
本発明の車両検査装置は、乗用車その他の自動車の製造工程又は車検整備を行なう車両整備工場等で有用である。
【符号の説明】
【００４２】
１      ピット
１ａ    側壁
２      固定リフト
２ａ    油圧シリンダー部
２ｂ    リフトポイント受具
２ｃ    油圧駆動ユニット
３      移動リフト
３ａ    油圧シリンダー部
３ｂ    リフトポイント受具
３ｃ    油圧駆動ユニット
４      ピットカバー
４ａ    前側ピットカバー
４ｂ    後側ピットカバー
５      収納室
５ａ    カバー部
５ｂ    収納レール
６      収納室
６ａ    カバー部
６ｂ    収納レール
７      筐体
８ａ    車輪
８ｂ    車輪
９      移動リフト用レール
１０    リフト移動用モータ
１１    スプロケット
１２    ローラチェーン
１３    補助スプロケット
１４    連結具
１４ａ  枠部
１４ｂ  モータ固定枠
１５    ピットカバー移動用モータ
１６    スプロケット
１７    補助スプロケット
１８    蓋単体
１９    蝶番
１９ａ  蝶番
１９ｂ  蝶番
２０    ピットカバー用レール
２１    穴部
２１ａ  前縁部
２１ｂ  後縁部
【図１】
2016078659.tif 000003
【図２】
2016078659.tif 000004
【図３】
2016078659.tif 000005
【図４】
2016078659.tif 000006
【図５】
2016078659.tif 000007
【図６】
2016078659.tif 000008
【図７】
2016078659.tif 000009